(57)【要約】【課題】  １つの被読取物の情報とその画像とを同時に取り込むことができる読取装置およびそれを備えた携帯機器を提供する。【解決手段】  光線を被読取物に照射し、その反射光を受光することにより、被読取物のコード情報を読み取る読取部１２と、被読取物を画像として撮影する撮影部１３と、を備え、読取部１２による光線の照射方向Ｓ１と撮影部１３による撮影方向Ｓ２とが同一方向に設定されている。従って、読取部１２と撮影部１３とで１つの被読取物のコード情報とその画像とを同時に取り込むことができる。【選択図】        図５
2018045445.tif 000002
【特許請求の範囲】
【請求項１】
光線を被読取物に照射し、その反射光を受光することにより、前記被読取物の情報を読み取る読取部と、
前記被読取物を画像として撮影する撮影部と、
を備え、
前記読取部による前記光線の照射方向と前記撮影部による撮影方向とが同一方向に設定されていることを特徴とする読取装置。
【請求項２】
請求項１に記載の読取装置において、前記読取部と前記撮影部とを搭載するユニットケースを備え、前記ユニットケースには、前記読取部に対応する読取窓部と、前記撮影部に対応する撮影窓部と、が設けられていることを特徴とする読取装置。
【請求項３】
請求項２に記載の読取装置において、前記読取部は、前記読取窓部に対して前記光線の照射方向が傾いた状態で配置され、前記撮影部は、前記撮影窓部に対して前記撮影方向が直交した状態で配置されていることを特徴とする読取装置。
【請求項４】
請求項２または請求項３に記載の読取装置において、前記ユニットケースは、機器ケースに着脱可能に取り付けられていることを特徴とする読取装置。
【請求項５】
請求項４に記載の読取装置において、前記読取部による前記光線の照射方向と前記撮影部による前記撮影方向とは、前記機器ケースに対して所定角度傾いていることを特徴とする読取装置。
【請求項６】
請求項１〜請求項５のいずれかに記載された読取装置を備えていることを特徴とする携帯機器。
【発明の詳細な説明】
【技術分野】
【０００１】
この発明は、携帯端末機、携帯電話機などの携帯機器に用いられる読取装置およびそれを備えた携帯機器に関する。
【背景技術】
【０００２】
例えば、携帯端末機に用いられている読取装置においては、特許文献１に記載されているように、１次元スキャナと２次元スキャナとを備え、これら１次元スキャナおよび２次元スキャナによって、異なるラベルの情報を読み取るように構成されたものが知られている。
【先行技術文献】
【特許文献】
【０００３】
【特許文献１】特開２００５−６３１４２号公報
【発明の概要】
【発明が解決しようとする課題】
【０００４】
このような携帯端末機の読取装置では、１次元スキャナと２次元スキャナとで異なるラベルの情報を読み取ることができても、１つのラベルの情報とそのラベルの画像とを同時に取り込むことができない。
【０００５】
この発明が解決しようとする課題は、１つの被読取物の情報とその画像とを同時に取り込むことができる読取装置およびそれを備えた携帯機器を提供することである。
【課題を解決するための手段】
【０００６】
この発明は、光線を被読取物に照射し、その反射光を受光することにより、前記被読取物の情報を読み取る読取部と、前記被読取物を画像として撮影する撮影部と、を備え、前記読取部による前記光線の照射方向と前記撮影部による撮影方向とが同一方向に設定されていることを特徴とする読取装置である。
【発明の効果】
【０００７】
この発明によれば、読取部と撮影部とで１つの被読取物の情報とその画像とを同時に取り込むことができる。
【図面の簡単な説明】
【０００８】
【図１】この発明を携帯端末機に適用した一実施形態を示した正面図である。
【図２】図１に示された携帯端末機の側面図である。
【図３】図１に示された携帯端末機の裏面側を示した斜視図である。
【図４】図３に示された携帯端末機において、機器ケースと読取装置とを分解して示した斜視図である。
【図５】図３に示された携帯端末機の読取装置のＡ−Ａ矢視における拡大断面図である。
【図６】図１に示された携帯端末機の回路構成を示したブロック図である。
【発明を実施するための形態】
【０００９】
以下、図１〜図６を参照して、この発明を携帯端末機に適用した一実施形態について説明する。
この携帯端末機は、図１〜図３に示すように、機器ケース１を備えている。この機器ケース１は、上部ケース２と下部ケース３とで構成されている。上部ケース２には、表示部４と入力部５とが設けられている。下部ケース３には、読取装置６と電池蓋７とが設けられている。
【００１０】
この場合、機器ケース１は、図１〜図３に示すように、上部ケース２の表示部４側およびこれに対応する下部ケース３の読取装置６側に位置する先端部側（図１では上辺部側）が前後方向（図１では上下方向）に長い長方形状の本体部１ａに形成され、上部ケース２の入力部５側およびこれに対応する下部ケース３の電池蓋７側に位置する手前部側（図１では下辺部側）が前後方向に長い長方形状の握り部１ｂに形成されている。
【００１１】
すなわち、この機器ケース１は、図１〜図３に示すように、握り部１ｂにおける機器ケース１の長手方向と直交する方向の長さ（幅）が、本体部１ａにおける機器ケース１の長手方向と直交する方向の長さ（幅）よりも短く形成されている。これにより、機器ケース１は、全体がほぼ羽子板形状に形成されている。つまり、この機器ケース１は、本体部１ａにおける上面の面積が握り部１ｂにおける上面の面積よりも広く形成され、かつ握り部１ｂが握り易い形状に形成されている。
【００１２】
表示部４は、図１に示すように、液晶表示パネル、ＥＬ（エレクトロ・ルミネッセンス）表示パネルなどの平面型の表示パネルであり、電気光学的に情報を表示するように構成されている。すなわち、この表示部４は、上部ケース２に設けられた表示開口部２ａに対した状態で、上部ケース２の内部に配置されている。
【００１３】
これにより、この表示部４は、図１に示すように、表示した情報が表示開口部２ａを通して上部ケース２の外部から見えるように構成されている。この場合、表示部４の上辺側に位置する上部ケース２の箇所には、スピーカ８とインジケータ用の複数の発光素子（ＬＥＤ）９とが設けられている。
【００１４】
入力部５は、図１に示すように、テンキー、演算キー、カーソルキー、決定キー、電源キーなどの各種のキー５ａを備え、これらが握り部１ｂ側に位置する上部ケース２に配列されている。この入力部５は、各種のキー５ａを操作することにより、情報を入力するように構成されている。この場合、入力部５の上辺部には、センタートリガーキー５ｂが設けられている。また、機器ケース１の両側面には、図２および図３に示すように、サイドトリガーキー５ｃがそれぞれ設けられている。
【００１５】
読取装置６は、図１〜図３に示すように、表示部４の裏面側に対応する下部ケース３の下面（図３では上面）に設けられている。電池蓋７は、入力部５の裏面側に対応する下部ケース３の下面に設けられている。この場合、電池蓋７は、図示しないが、入力部５の裏面側に対応する下部ケース３内に設けられて、電池を収納する電池収納部を開閉可能に塞ぐように構成されている。
【００１６】
すなわち、この電池蓋７は、図２および図３に示すように、断面半円形の逆樋状に形成され、下部側（図３では上部側）が凸になる状態で、下部ケース３内の電池収納部を覆って塞ぐように構成されている。これにより、この電池蓋７は、下部ケース３の下面（図３では上面）に取り付けられた際に、機器ケース１の握り部１ｂが握り易い形状になるように構成されている。
【００１７】
ところで、読取装置６は、図２〜図４に示すように、ユニットケース１０を備えている。このユニットケース１０は、下部ケース３の裏面（図４では上面）に複数のビス１１によって着脱可能に取り付けられるように構成されている。このユニットケース１０は、図５に示すように、その内部に読取部１２と撮影部１３とが設けられるように構成されている。
【００１８】
読取部１２は、図５に示すように、スキャナであり、レーザ光線などの光線を被読取物（図示せず）に照射し、その反射光を受光することにより、被読取物のコード情報を読み取るように構成されている。撮影部１３は、撮像素子を備えたカメラであり、読取部１２で読み取る被読取物を画像として撮影するように構成されている。この場合、被読取物は、商品に張られたラベルであり、バーコードや２次元コードなどのコード情報が表示されている。
【００１９】
この読取装置６は、図１〜図５に示すように、読取部１２で読み取った被読取物のコード情報が表示部４に表示されると共に、撮影部１３で撮影した被読取物の画像が表示部４に表示されることにより、表示部４に表示された被読取物のコード情報および被読取物の画像を見ながら、読取部１２による読取操作と撮影部１３による撮影操作とが同時に行われるように構成されている。
【００２０】
ユニットケース１０は、図２〜図５に示すように、四角形状の平板を機器ケース１の長手方向に沿って緩やかに傾斜する山形状に突出させて形成されている。このユニットケース１０の内部には、図５に示すように、読取部１２が取り付けられる読取取付部１０ａと、撮影部１３が取り付けられる撮影取付部１０ｂと、が設けられている。
【００２１】
また、このユニットケース１０は、図４および図５に示すように、その外周部に装着枠１０ｃが設けられ、この装着枠１０ｃが下部ケース３の下面（図４では上面）に設けられた開口部３ａの枠状縁３ｂに装着し、この状態で複数のビス１１によって下部ケース３に取り付けられるように構成されている。
【００２２】
このユニットケース１０には、図２〜図５に示すように、読取部１２に対応する読取窓部１４と、撮影部１３に対応する撮影窓部１５と、が設けられている。これら読取部１２と撮影部１３とは、図５に示すように、読取部１２による光線の照射方向Ｓ１と撮影部１３による撮影方向Ｓ２とが同一方向に設定されている。
【００２３】
この場合、読取部１２は、図５に示すように、読取窓部１４に対して光線の照射方向Ｓ１が傾いた状態で配置されている。すなわち、読取部１２は、読取窓部１４に対して光線の照射方向Ｓ１が直交していると、読取窓部１４に照射されて透過する光線の一部が読取窓部１４で反射され、その反射光線を受光するため、読取窓部１４で反射された光線が読取部１２に照射されないように、光線の照射方向Ｓ１が読取窓部１４に対して傾いて配置されている。
【００２４】
撮影部１３は、図５に示すように、撮影窓部１５に対して撮影方向Ｓ２が直交した状態で配置されている。すなわち、撮影部１３は、撮影窓部１５に対して撮影方向Ｓ２が傾いていると、被読取物の画像の光が撮影窓部１５で屈折され、被読取物の画像が歪んで取り込まれるため、撮影方向Ｓ２が撮影窓部１５に対して直交するように配置されている。
【００２５】
この場合、読取窓部１４は、図２〜図５に示すように、ユニットケース１０における山形状の一方の傾斜部に設けられている。また、撮影窓部１５は、ユニットケース１０における山形状の他方の傾斜部に設けられている。すなわち、読取窓部１４は、ユニットケース１０における握り部１ｂ側に位置する傾斜部に設けられている。また、撮影窓部１５は、ユニットケース１０における握り部１ｂと反対側に位置する傾斜部に設けられている。
【００２６】
また、読取部１２と撮影部１３とは、図２および図５に示すように、読取部１２による光線の照射方向Ｓ１と撮影部１３による撮影方向Ｓ２とが、機器ケース１の下面つまり下部ケース３の下面に対して所定角度θで傾いた状態で、ユニットケース１０内に配置されるように構成されている。
【００２７】
すなわち、読取部１２による光線の照射方向Ｓ１と撮影部１３による撮影方向Ｓ２とは、図２および図５に示すように、下部ケース３の下面に対して握り部１ｂと反対側に位置する下部ケース３の先端側（図２では上辺側）に向けて、４０°〜８０°の角度範囲で、好ましくは６０°の角度で傾いていることが望ましい。
【００２８】
この場合、読取装置６は、図４に示すように、被読取物に表示されたコード情報、例えばバーコードと２次元コードとで異なる構成になっている。すなわち、バーコードを読み取る読取装置６は、ユニットケース１０に読取部１２と撮影部１３とが組み込まれた構成になっている。また、２次元コードを読み取る読取装置６は、他のユニットケース１６に撮影部（図示せず）のみが組み込まれた構成になっている。
【００２９】
このため、この読取装置６は、図４に示すように、２種類のユニットケース１０、１６と交換できるように構成されている。すなわち、バーコードを読み取る一方のユニットケース１０には、上述したように読取部１２が対応する読取窓部１４と、撮影部１３が対応する撮影窓部１５と、が設けられている。
【００３０】
一方、２次元コードを読み取る他方のユニットケース１６は、図４に示すように、その外周の形状がバーコードを読み取る一方のユニットケース１０と同じ大きさで、その一方のユニットケース１０と同様、ビス１１によって下部ケース３に取り付けられるように構成されている。
【００３１】
すなわち、２次元コードを読み取る他方のユニットケース１６は、図４に示すように、下部ケース３に対する取付位置が、バーコードを読み取る一方のユニットケース１０が下部ケース３に取り付けられる取付位置と同じ取付位置になるように構成されている。
【００３２】
また、２次元コードを読み取る他方のユニットケース１６は、図４に示すように、バーコードを読み取る一方のユニットケース１０よりも高さの高い山形形状に形成され、この山形形状の一方の傾斜部に撮影部（図示せず）が対応する撮影窓部１６ａのみが設けられた構成になっている。
【００３３】
この場合、２次元コードを読み取る他方のユニットケース１６は、図４に示すように、撮影部の撮影方向が、バーコードを読み取る一方のユニットケース１０の撮影方向Ｓ２と同じ方向、つまり機器ケース１の下面である下部ケース３の下面に対して所定角度θで傾くように構成されている。
【００３４】
これにより、読取装置６は、図４に示すように、被読取物のコード形態に応じて一方のユニットケース１０と他方のユニットケース１６とを交換することにより、バーコードと２次元コードとのいずれかが表示された被読取物のコード情報が読み取れるように構成されている。
【００３５】
次に、図６に示されたブロック図を参照して、この携帯端末機の回路構成について説明する。
この携帯端末機は、ＣＰＵ２０、メモリ部２１、表示部４、入力部５、読取装置６を備えている。メモリ部２１は、ＲＯＭ（リードオンリーメモリ）、ＲＡＭ（ランダムアクセスメモリ）を備えている。ＣＰＵ２０は、メモリ部２１のＲＯＭに記憶されたプログラムに基づいて携帯端末機全体の処理を行うものである。
【００３６】
メモリ部２１のＲＯＭは、ＣＰＵ２０で行われる処理を制御するプログラムを記憶している。表示部４は、ＣＰＵ２０からの指令に基づいて被読取物のコード情報やその画像のほか、商品やその在庫などの各種の情報を表示するものである。入力部５は、商品やその在庫などの情報を各種のキー５ａによって入力すると共に、センタートリガーキー５ｂおよびサイドトリガーキー５ｃによってトリガーを入力するものである。
【００３７】
読取装置６は、読取部１２と撮影部１３とを備えている。読取部１２と撮影部１３とは、センタートリガーキー５ｂとサイドトリガーキー５ｃとのいずれかが操作された際に、ＣＰＵ２０から同時に指令が与えられて動作するものである。すなわち、読取部１２は、センタートリガーキー５ｂとサイドトリガーキー５ｃとのいずれかが操作された際に、ＣＰＵ２０からの指令に基づいて商品に張られたラベルなどの被読取物のコード情報を読み取り、読み取ったコード情報をＣＰＵ２０に出力するものである。
【００３８】
撮影部１３は、センタートリガーキー５ｂとサイドトリガーキー５ｃとのいずれかが操作された際に、読取部１２と同様、ＣＰＵ２０からの指令に基づいて同じ商品に張られた同じラベルなどの被読取物を画像として撮影し、この撮影した画像をＣＰＵ２０に出力するものである。
【００３９】
次に、このような携帯端末機の作用について説明する。
この携帯端末機を使用する場合には、まず、機器ケース１の上部ケース２を上に向けて、機器ケース１の握り部１ｂをオペレータが手で握る。この状態では、上部ケース２の表示部４と入力部５とが上を向く。
【００４０】
このため、オペレータが機器ケース１の握り部１ｂを握った状態で、入力部５の各種のキー５ａを操作して商品やその在庫などの情報を入力することができる。この入力された情報は、表示部４に表示され、この表示された情報をオペレータが上部ケース２の表示開口部２ａを通して見ることができる。
【００４１】
また、読取装置６で商品に張られたラベルなどの被読取物のコード情報およびその画像を取り込む場合には、ユニットケース１０に設けられた読取窓部１４と撮影窓部１５とを被読取物に向けて、入力部５の上辺部に設けられたセンタートリガーキー５ｂと機器ケース１の両側部に設けられたサイドトリガーキー５ｃとのいずれかを操作する。すると、読取装置６の読取部１２が被読取物のコード情報を読み取ると共に、これと同時に撮影部１３が被読取物を画像として撮影する。
【００４２】
すなわち、読取部１２が被読取物のコード情報を読み取る際には、読取部１２でレーザ光線などの光線を被読取物に向けて照射し、この被読取物で反射された光線を読取部１２で取り込んで、被読取物のコード情報を読み取る。この場合、読取部１２は、ユニットケース１０に設けられた読取窓部１４に対して光線の照射方向Ｓ１が傾いた状態で配置されている。
【００４３】
このため、読取部１２は、光線を被読取物に向けて照射する際に、読取窓部１４に照射されて透過する光線の一部が読取窓部１４で反射されても、その反射光線が読取部１２に向けて反射されないため、読取窓部１４で反射された光線が読取部１２に照射されることがない。これにより、読取部１２によって被読取物のコード情報が正確に読み取られる。
【００４４】
また、撮影部１３が被読取物を画像として取り込む際には、被読取物の画像がユニットケース１０の撮影窓部１５を通して撮影部１３に取り込まれる。この場合、撮影部１３は、撮影窓部１５に対して撮影方向Ｓ２が直交した状態で配置されている。このため、撮影部１３は、被読取物の画像の光が撮影窓部１５で屈折されて被読取物の画像が歪むことがなく、正確に被読取物を画像として撮影する。
【００４５】
このようにして、読取装置６が取り込んだ被読取物のコード情報とその画像とは、表示部４に表示される。このため、表示部４に表示された被読取物のコード情報とその画像とをオペレータが見ながら、入力部５の決定キー５ａを操作することにより、表示部４に表示された被読取物のコード情報とその画像とが記憶される。
【００４６】
ところで、被読取物のコード情報が２次元コードである場合には、読取装置６を交換する必要がある。すなわち、読取装置６は、被読取物に表示されたコード情報、例えばバーコードと２次元コードとで異なる構成になっている。このため、２次元コードを読み取る際には、バーコードを読み取るための一方のユニットケース１０を下部ケース３から取り外して、２次元コードを読み取るための他方のユニットケース１６を下部ケース３に取り付ける。
【００４７】
この場合、他方のユニットケース１６は、その山形形状が一方のユニットケース１０の山形形状と異なっていても、取付位置が同じあるため、一方のユニットケース１０と容易に交換することができる。また、この他方のユニットケース１６は、その撮影方向が一方のユニットケース１０の撮影方向Ｓ２と同じ方向を向いて配置される。これにより、２次元コードが表示された被読取物のコード情報を一方のユニットケース１０の読取装置６と同様に、他方のユニットケース１６の読取装置６によって読み取ることができる。
【００４８】
このように、この携帯端末機によれば、読取装置６が、光線を被読取物に照射し、その反射光を受光することにより、被読取物のコード情報を読み取る読取部１２と、被読取物を画像として撮影する撮影部１３と、を備え、読取部１２による光線の照射方向Ｓ１と撮影部１３による撮影方向Ｓ２とが同一方向に設定されていることにより、読取部１２と撮影部１３とで１つの被読取物のコード情報とその画像とを同時に取り込むことができる。
【００４９】
これにより、この携帯端末機では、読取装置６が取り込んだ被読取物のコード情報とその画像とを表示部４に同時に表示させることができる。このため、表示部４に表示された被読取物のコード情報とその画像とをオペレータが見ながら確認することができるので、被読取物のコード情報とその画像とを正確にかつ確実に取り込むことができ、これにより被読取物のコード情報とその画像との取り込み操作が容易にでき、その取り込み操作性を向上させることができる。
【００５０】
この場合、読取装置６は、読取部１２と撮影部１３とを搭載するユニットケース１０を備え、このユニットケース１０に読取部１２に対応する読取窓部１４と撮影部１３に対応する撮影窓部１５とが設けられていることにより、ユニットケース１０の読取窓部１４を通して被読取物のコード情報を読取部１２で確実に読み取ることができると共に、ユニットケース１０の撮影窓部１５を通して被読取物を画像として撮影部１３で確実に撮影することができる。
【００５１】
すなわち、この読取装置６では、読取部１２が読取窓部１４に対して光線の照射方向Ｓ１を傾けた状態で配置され、撮影部１３が撮影窓部１５に対して撮影方向Ｓ２を直交させた状態で配置されていることにより、読取部１２によって被読取物のコード情報を正確にかつ良好に読み取ることができると共に、撮影部１３によって被読取物を画像として正確にかつ良好に撮影することができる。
【００５２】
この場合、読取部１２は、ユニットケース１０に設けられた読取窓部１４に対して光線の照射方向Ｓ１が傾いた状態で配置されていることにより、光線を被読取物に向けて照射する際に、読取窓部１４に照射されて透過する光線の一部が読取窓部１４で反射されても、その反射光線が読取部１２に向けて反射されることがない。このため、読取窓部１４で反射された光線が読取部１２に照射されることがないので、読取部１２によって被読取物のコード情報を正確にかつ良好に読み取ることができる。
【００５３】
また、撮影部１３は、撮影窓部１５に対して撮影方向Ｓ２が直交した状態で配置されていることにより、被読取物を画像として取り込む際に、被読取物の画像の光が撮影窓部１５で屈折されて被読取物の画像が歪むことがない。このため、撮影部１３によって被読取物を画像として正確にかつ良好に撮影することができる。
【００５４】
この場合、ユニットケース１０は、機器ケース１の長手方向に沿って緩やかに傾斜する山形状に形成され、機器ケース１の握り部１ｂ側に位置する傾斜部に読取窓部１４が設けられ、機器ケース１の握り部１ｂと反対側に位置する傾斜部に撮影窓部１５が設けられていることにより、読取部１２による光線の照射方向Ｓ１と撮影部１３による撮影方向Ｓ２とを正確にかつ確実に同一方向に向けることができる。
【００５５】
また、このユニットケース１０は、機器ケース１に複数のビス１１によって着脱可能に取り付けられていることにより、ユニットケース１０を他のユニットケース１６と容易に交換することができる。すなわち、読取装置６は、被読取物に表示されたコード情報、例えばバーコードと２次元コードとで異なる構成になっているため、バーコードを読み取る場合と、２次元コードを読み取る場合とで、ユニットケース１０、１６を交換することができる。
【００５６】
この場合、２次元コードを読み取る他方のユニットケース１６は、その山形形状がバーコードを読み取る一方のユニットケース１０の山形形状と異なっていても、取付位置が同じあるため、一方のユニットケース１０と容易に交換することができる。これにより、２次元コードが表示された被読取物のコード情報を一方のユニットケース１０の読取装置６と同様に、他方のユニットケース１６の読取装置６によって読み取ることができる。
【００５７】
このため、この読取装置６では、被読取物のコード形態に応じて２種類のユニットケース１０、１６を交換することにより、バーコードが表示された被読取物と２次元コードが表示された被読取物とのいずれを読み取るのかを選択することができ、この選択したユニットケース１０、１６によってバーコードと２次元コードとのいずれかが表示された被読取物のコード情報を良好に読み取ることができる。
【００５８】
また、この読取装置６では、読取部１２による光線の照射方向Ｓ１と撮影部１３による撮影方向Ｓ２とが機器ケース１に対して所定角度θで傾いていることにより、機器ケース１をオペレータが手で持った状態で、読取部１２と撮影部１３とを被読取物に正確にかつ容易に向けることができ、これにより読取部１２と撮影部１３とで被読取物のコード情報とその画像とを確実にかつ良好に取り込むことができる。
【００５９】
この場合、読取部１２による光線の照射方向Ｓ１と撮影部１３による撮影方向Ｓ２とは、機器ケース１の下面に対して握り部１ｂと反対側に位置する機器ケース１の先端側に向けて、４０°〜８０°の角度範囲で、好ましくは６０°の角度で傾いていることにより、機器ケース１をオペレータが手で持った状態で、読取部１２と撮影部１３とを被読取物に、より一層、正確にかつ容易に向けることができ、これにより読取部１２と撮影部１３とによる被読取物のコード情報とその画像との取り込み操作性を向上させることができる。
【００６０】
なお、上述した実施形態では、読取装置６がバーコードを読み取るためのユニットケース１０と２次元コードを読み取るユニットケース１６との２種類を備えている場合について述べた、この発明は、これに限らず、更に他のコード情報が表示された被読取物を読み取るために、３種類以上のユニットケースを備え、これらのユニットケースと交換できるように構成しても良い。
【００６１】
また、上述した実施形態では、携帯端末機に適用した場合について述べたが、この発明は、必ずしも携帯端末機である必要はなく、例えば携帯電話機、携帯情報端末機などの携帯機器にも適用することができる。
【００６２】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６３】
（付記）
請求項１に記載の発明は、光線を被読取物に照射し、その反射光を受光することにより、前記被読取物の情報を読み取る読取部と、前記被読取物を画像として撮影する撮影部と、を備え、前記読取部による前記光線の照射方向と前記撮影部による撮影方向とが同一方向に設定されていることを特徴とする読取装置である。
【００６４】
請求項２に記載の発明は、請求項１に記載の読取装置において、前記読取部と前記撮影部とを搭載するユニットケースを備え、前記ユニットケースには、前記読取部に対応する読取窓部と、前記撮影部に対応する撮影窓部と、が設けられていることを特徴とする読取装置である。
【００６５】
請求項３に記載の発明は、請求項２に記載の読取装置において、前記読取部は、前記読取窓部に対して前記光線の照射方向が傾いた状態で配置され、前記撮影部は、前記撮影窓部に対して前記撮影方向が直交した状態で配置されていることを特徴とする読取装置である。
【００６６】
請求項４に記載の発明は、請求項２または請求項３に記載の読取装置において、前記ユニットケースは、機器ケースに着脱可能に取り付けられていることを特徴とする読取装置である。
【００６７】
請求項５に記載の発明は、請求項４に記載の読取装置において、前記読取部による前記光線の照射方向と前記撮影部による前記撮影方向とは、前記機器ケースに対して所定角度傾いていることを特徴とする読取装置である。
【００６８】
請求項６に記載の発明は、請求項１〜請求項５のいずれかに記載された読取装置を備えていることを特徴とする携帯機器である。
【符号の説明】
【００６９】
１  機器ケース
１ａ  本体部
１ｂ  握り部
２  上部ケース
３  下部ケース
４  表示部
５  入力部
６  読取装置
７  電池蓋
１０、１６  ユニットケース
１１  ビス
１２  読取部
１３  撮影部
１４  読取窓部
１５、１６ａ  撮影窓部
２０  ＣＰＵ
２１  メモリ部
Ｓ１  照射方向
Ｓ２  撮影方向
【図１】
2018045445.tif 000003
【図２】
2018045445.tif 000004
【図３】
2018045445.tif 000005
【図４】
2018045445.tif 000006
【図５】
2018045445.tif 000007
【図６】
2018045445.tif 000008